(57)【要約】【課題】  コンベヤと隣接コンベヤとの間での物品の受け渡しを円滑に行うことができる物品載置搬送装置を安価に提供する。【解決手段】  上下方向に巻回させた無端体３の上方部にて物品を載置搬送する左右一対の載置搬送部４を備えたコンベヤ１が、搬送方向に隣接する隣接コンベヤ２に搬送方向に連ねて設けられ、コンベヤ１が、左右一対の載置搬送部４を駆動する駆動手段９を搬送方向の中間部に位置させて、搬送方向の端部において左右一対の載置搬送部４の間に隣接コンベヤ２が搬送方向で入り込むことを許容する空間を形成する状態に構成され、隣接コンベヤ２が、コンベヤ１の搬送方向の端部に搬送方向で入り込む状態に配設されている。【選択図】        図１
2005231840.tif 000002
【特許請求の範囲】
【請求項１】
上下方向に巻回させた無端体の上方部にて物品を載置搬送する左右一対の載置搬送部を備えたコンベヤが、搬送方向に隣接する隣接コンベヤに搬送方向に連ねて設けられた物品載置搬送装置であって、
前記コンベヤが、左右一対の載置搬送部を駆動する駆動手段を搬送方向の中間部に位置させて、搬送方向の端部において左右一対の載置搬送部の間に隣接コンベヤが搬送方向で入り込むことを許容する空間を形成する状態に構成され、
前記隣接コンベヤが、前記コンベヤの搬送方向の端部に搬送方向で入り込む状態に配設されている物品載置搬送装置。
【請求項２】
前記隣接コンベヤが、左右一対の載置搬送部を前記コンベヤの左右一対の載置搬送部の間に入り込むことが可能な間隔を隔てる状態で備え、且つ、その左右一対の載置搬送部を駆動する駆動手段を搬送方向の中間部に位置させて備えている請求項１記載の物品載置搬送装置。
【請求項３】
前記コンベヤと前記隣接コンベヤとの夫々に、載置搬送する物品の側面部を案内する左右一対の案内部が、同じ間隔で備えられている請求項１又は２記載の物品載置搬送装置。
【発明の詳細な説明】
【技術分野】
【０００１】
本発明は、上下方向に巻回させた無端体の上方部にて物品を載置搬送する左右一対の載置搬送部を備えたコンベヤが、搬送方向に隣接する隣接コンベヤに搬送方向に連ねて設けられた物品載置搬送装置に関するものである。
【背景技術】
【０００２】
かかる物品載置搬送装置は、コンベヤと隣接コンベヤとの間で物品を受け渡して搬送するように構成されているものであり、コンベヤの左右一対の載置搬送部同士の間隔と隣接コンベヤの左右一対の載置搬送部同士の間隔とが同じ間隔に構成され、コンベヤの搬送方向の隣接コンベヤが位置する側にコンベヤの左右一対の載置搬送部を連動連結して同期駆動させる駆動手段を位置させ、隣接コンベヤにおけるコンベヤが位置する側の左右一対の載置搬送部の間に中継搬送部を備え、コンベヤと隣接コンベヤの中継搬送部とを突き合わせた状態で配設されているものがあった（例えば、特許文献１参照。）。
【０００３】
【特許文献１】特開平４−１１２１２１号公報
【発明の開示】
【発明が解決しようとする課題】
【０００４】
コンベヤと隣接コンベヤの中継搬送部とを突き合わせた状態で配設すると、コンベヤと隣接コンベヤの中継搬送部との間で物品を受け渡す際にコンベヤと隣接コンベヤの中継搬送部との間に物品が嵌って物品を円滑に受け渡すことができない可能性があるので、隣接コンベヤの中継搬送部をコンベヤの搬送方向の端部に搬送方向に入り込むように配設し、コンベヤと隣接コンベヤの中継搬送部との間に物品が嵌らないように中継搬送部にて物品を載置搬送させて物品の受け渡しを補助することが考えられるが、コンベヤに備えられた駆動手段が邪魔をするため隣接コンベヤの中継搬送部をコンベヤの搬送方向の端部に搬送方向に十分に入り込ませることができず、未だ、コンベヤと隣接コンベヤとの間で物品を受け渡す際にコンベヤと隣接コンベヤの中継搬送部との間に物品が嵌って物品を円滑に受け渡すことができない可能性があり、また、中継搬送部を備えることにより物品載置搬送装置の構造が複雑になるものであった。
【０００５】
本発明は、上記実状に鑑みて為されたものであって、その目的は、コンベヤと隣接コンベヤとの間での物品の受け渡しを円滑に行うことができて構造簡単な物品載置搬送装置を提供する点にある。
【課題を解決するための手段】
【０００６】
本願発明の物品載置搬送装置は、上下方向に巻回させた無端体の上方部にて物品を載置搬送する左右一対の載置搬送部を備えたコンベヤが、搬送方向に隣接する隣接コンベヤに搬送方向に連ねて設けられた物品載置搬送装置であって、
第１特徴構成は、前記コンベヤが、左右一対の載置搬送部を駆動する駆動手段を搬送方向の中間部に位置させて、搬送方向の端部において左右一対の載置搬送部の間に隣接コンベヤが搬送方向で入り込むことを許容する空間を形成する状態に構成され、前記隣接コンベヤが、前記コンベヤの搬送方向の端部に搬送方向で入り込む状態に配設されている点を特徴とする。
【０００７】
すなわち、コンベヤの左右一対の載置搬送部を駆動する駆動手段をコンベヤの搬送方向の中間部に位置させることにより、そのコンベヤの搬送方向の端部において左右一対の載置搬送部の間に隣接コンベヤが搬送方向に入り込むことを許容する空間を形成することができ、コンベヤと隣接コンベヤとの間に物品が嵌らないようにコンベヤの搬送方向の端部に隣接コンベヤを搬送方向に十分に入り込む状態に配設することができるので、コンベヤと隣接コンベヤとの間での物品の受け渡しを円滑に行うことができて構造簡単な物品載置搬送装置を提供することができるに至った。
【０００８】
第２特徴構成は、前記隣接コンベヤが、左右一対の載置搬送部を前記コンベヤの左右一対の載置搬送部の間に入り込むことが可能な間隔を隔てる状態で備え、且つ、その左右一対の載置搬送部を駆動する駆動手段を搬送方向の中間部に位置させて備えている点を特徴とする。
【０００９】
すなわち、コンベヤの左右一対の載置搬送部の間に隣接コンベヤの左右一対の載置搬送部を搬送方向に入り込ませることによって、コンベヤの横幅内に隣接コンベヤを配設することができるので物品載置搬送装置の横幅を小さく構成することができる。
【００１０】
第３特徴構成は、前記コンベヤと前記隣接コンベヤとの夫々に、載置搬送する物品の側面部を案内する左右一対の案内部が、同じ間隔で備えられている点を特徴とする。
【００１１】
すなわち、横幅方向の間隔が同じ間隔の案内部をコンベヤと隣接コンベヤとの夫々に備えることにより、載置搬送される物品はコンベヤでも隣接コンベヤでも案内部にて側面部が案内され且つコンベヤと隣接コンベヤの繋ぎ目においても案内部の端部に物品が引っかかることがないので、物品を円滑に案内することができる。
【発明を実施するための最良の形態】
【００１２】
以下、本発明にかかる物品載置搬送装置の実施の形態ついて図面に基づいて説明する。
図１に示すように、この物品載置搬送装置は、幅広の幅広コンベヤ（コンベヤに相当）１とこの幅広コンベヤ１より幅狭の幅狭コンベヤ（隣接コンベヤに相当）２とを交互に連ねて設けられており、載置搬送する物品としてのスキッドタイプのパレットＰを、搬送方向の上手側に位置する幅狭コンベヤ２から搬送方向の下手側に位置する幅広コンベヤ１に乗り移らせ、この幅広コンベヤ１からさらに搬送方向の下手側に位置する幅狭コンベヤ２に乗り移らせて搬送するように構成されている。
【００１３】
図３に示すように、幅広コンベヤ１並びに幅狭コンベヤ２それぞれには、上下方向に巻回させたチェーン（無端体に相当）３の上方部３ａにてパレットＰを載置搬送するチェーン式に構成された左右一対の載置搬送部４が備えられており、幅広コンベヤ１の左右一対の載置搬送部４同士の間隔が幅狭コンベヤ２の左右一対の載置搬送部４同士の間隔より広くなる状態でそれぞれが床面に設けられた支持枠５に支持されている。
【００１４】
載置搬送部４について詳述すると、図２又は図３に示すように、支持枠５における搬送部用枠体５ａの搬送方向の上手側端部と搬送方向の下手側端部とにそれぞれ横軸芯周りに回転自在な従動スプロケット６が設けられ、搬送用枠体５ａの搬送方向の中間部には従動スプロケット６より下方位置で横軸芯周りに回転駆動される駆動スプロケット７が設けられ、駆動スプロケット７と２つの従動スプロケット６とに亘って上下方向に前記チェーン３が巻回されており、載置搬送部４のそれぞれは、これら駆動スプロケット７と２つの従動スプロケット６とチェーン３とを備えて構成されている。また、載置搬送部４のそれぞれには、チェーン３の戻り経路部分においてチェーン３の外周側からテンションを付与するテンションスプロケット８が備えられている。
【００１５】
そして、左右一対の載置搬送部４を駆動する駆動手段９が、幅広コンベヤ１の搬送方向の中間部に位置する状態で設けられており、この駆動手段９は、左右一対の前記駆動スプロケット７と、この左右一対の駆動スプロケット７を連動連結する伝動軸１０と、この伝動軸１０を駆動回転させる電動モータ１１とで構成されている。つまり、１つの電動モータ１１にて左右一対の載置搬送部４における駆動スプロケット７の両方を駆動させることができ、駆動手段９により左右一対の載置搬送部４を同期駆動させるように構成されている。そして、図２に示すように、駆動手段９を幅広コンベヤ１の搬送方向の中間部に位置させ、且つ、幅広コンベヤ１の左右一対の載置搬送部４同士を幅狭コンベヤ２の横幅より大きく離間させることにより、コンベア１の搬送方向の端部において左右一対の載置搬送部４の間に隣接コンベアが搬送方向に入り込むことを許容する空間が形成されている。
【００１６】
次に、幅狭コンベヤ２について説明するが、左右一対の載置搬送部４同士の間隔が幅広コンベヤ１のそれよりも狭く設定されている以外は幅広コンベヤ１と同様に構成されている。つまり、図４に示すように、幅狭コンベヤ２にも左右一対の載置搬送部４が備えられ、その左右一対の載置搬送部４を駆動する駆動手段９が搬送方向の中間部に位置させて備えられている。そして、幅狭コンベヤ２の左右一対の載置搬送部４同士は、その搬送方向の端部が、幅広コンベヤ１の左右一対の載置搬送部４の間に入り込むことが可能な間隔を隔てる程度に近接された状態に支持枠５に支持されている。
【００１７】
そして、幅広コンベヤ１の搬送方向の端部に、幅狭コンベヤ２の搬送方向の端部が入り込む状態に配設されており、図５に示すように、幅狭コンベヤ２の従動スプロケット６と幅広コンベヤ１の従動スプロケット６とを側面視で重複するように位置させることにより、幅狭コンベヤ２におけるチェーン３の上方部３ａと幅広コンベヤ１におけるチェーン３の上方部３ａとを横幅方向に重複させて、パレットＰのけた部分Ｐｋが搬送方向に並ぶチェーン３の上方部３ａ同士の間に嵌らないように構成されている。
【００１８】
図２に示すように、幅広コンベヤ１と幅狭コンベヤ２との夫々には、載置搬送するパレットＰの側面部を案内する案内部１２が備えられている。そして、幅広コンベヤ１の案内部１２と幅狭コンベヤ２の案内部１２とは、横幅方向での間隔が同じ間隔で互いに搬送方向に並ぶように備えられている。
【００１９】
〔別実施の形態〕
（１）  上記各実施の形態では、コンベヤを幅広コンベヤ１とし隣接コンベヤを幅狭コンベヤ２として、コンベヤと隣接コンベヤとの横幅が異なるように構成したが、コンベヤと隣接コンベヤとを同幅のコンベヤにて構成し、互いに横幅方向にずらした状態でコンベヤの載置搬送部４の一方を隣接コンベヤの左右一対の載置搬送部４の間に搬送方向で入り込む状態で、且つ、隣接コンベヤの載置搬送部４の一方をコンベヤの左右一対の載置搬送部４の間に搬送方向で入り込む状態に配設するように構成してもよい。
【００２０】
（２）  上記各実施の形態では、図５に示すように幅広コンベヤ１の従動コンベヤ６と幅狭コンベヤ２の従動コンベヤ６の一部が重複するように、幅広コンベヤ１の搬送方向の端部に幅狭コンベヤ２を入り込ませたが、幅広コンベヤ１の従動コンベヤ６と幅狭コンベヤ２の従動コンベヤ６とが完全に重複させるように入り込ませたり、さらに入り込ませて幅狭コンベヤ２従動スプロケット６が幅広コンベヤ１の従動スプロケット６より幅広コンベヤ１の搬送方向内方側に位置するように構成してもよい。
【００２１】
（３）  上記実施の形態では、載置搬送部４を駆動スプロケット７と従動スプロケット６とチェーン３とを備えて構成し、コンベヤや隣接コンベヤをチェーンコンベヤに構成したが、載置搬送部４を駆動ローラや従動ローラやベルトを備えて構成し、コンベヤや隣接コンベヤをベルトコンベヤ式に構成してもよい。
【図面の簡単な説明】
【００２２】
【図１】物品載置搬送装置の斜視図
【図２】物品載置搬送装置の平面図
【図３】物品載置搬送装置の側面図
【図４】物品載置搬送装置の平面図
【図５】物品載置搬送装置の一部拡大図
【符号の説明】
【００２３】
１    コンベヤ
２    隣接コンベヤ
３    無端体
３ａ  上方部
４    載置搬送部
９    駆動手段
１２    案内部
Ｐ    物品
【図１】
2005231840.tif 000003
【図２】
2005231840.tif 000004
【図３】
2005231840.tif 000005
【図４】
2005231840.tif 000006
【図５】
2005231840.tif 000007